(57)【要約】【課題】鋳造オモリにはその中央部にス（鬆）ができ易いため、これに吊り手の先端部を鋳込んだタイプのおもりにあっては、キャスティング時にオモリ本体が吊り手から抜けてしまうことがある。【解決手段】吊り手１０の鋳込み部１２は、オモリ本体３の中心線Ｘ−Ｘ上に鋳込まれる位置決め部１３とここから先の抜止め部１４を有する。抜止め部１４は、中心線Ｘ−Ｘと平行な姿勢のＷ形に屈曲し、その４つの直線部のうち位置決め部１３と連続する直線部１４ａの長さを他の３つの直線部のほぼ２倍にすることで、抜止め部１４を上記延長線から脇へ外してある。従って、抜止め部１４は、オモリ本体３のうちスが最もでき易い中央部から脇へ外れた位置に鋳込まれるので、オモリ本体３の中央部にスＫが生じても、抜止め部１４は結果的にそのスＫを避けた位置に埋め込まれた状態になるので、この鋳込み部１２がオモリ本体３から抜けることは殆ど無い。【選択図】　　　　図１
2004041050.tif 000002
【特許請求の範囲】
【請求項１】
鋳造製のオモリ本体と、該オモリ本体の中心線に対して屈曲した方向へ延びる形の抜止め部を有する鋳込み部が当該オモリ本体に鋳込まれ該オモリ本体の外にある端部が繋ぎ環に加工された金属線材製の吊り手とを備えた魚釣り用おもりであって、上記鋳込み部はその抜止め部がオモリ本体の中央部から外れた位置にインサートされた状態で該オモリ本体に鋳込まれたことを特徴とする魚釣り用おもり。
【請求項２】
請求項１に記載した魚釣り用おもりにおいて、吊り手の鋳込み部はオモリ本体の中心線上に鋳込まれる位置決め部とここから先の抜止め部とを有しており、抜止め部の全体又は大部分が上記位置決め部の延長線から脇へ外れたところに位置することによって該抜止め部がオモリ本体の中央部から外れた位置にインサートされたことを特徴とする魚釣り用おもり。
【請求項３】
請求項１又は２に記載した魚釣り用おもりにおいて、オモリ本体の後部には前面が開口し後端に吊り手の横断面とほぼ同じ大きさの吊り手通し孔が設けられたキャップが嵌着されており、吊り手の抜止め部は、上記吊り手通し孔に挿通することができる屈曲形状にしたことを特徴とする魚釣り用おもり。
【請求項４】
請求項１から３のいずれかに記載した魚釣り用おもりにおいて、吊り手は１本の金属線材を２つ折りして２本のアーム部を形成しており、その２つ折りの折返し部側端部に抜止め部を形成したことを特徴とする魚釣り用おもり。
【発明の詳細な説明】
【０００１】
【発明の属する技術分野】
本発明は、魚釣り用おもりに係り、特に、鋳造により成形されたオモリ本体と、このオモリ本体に前端部が鋳込まれた金属線材製の吊り手とを備えた構造の魚釣り用おもりに関するものである。
【０００２】
【従来の技術】
今日、魚釣り用おもりには各種あるが、例えば、海岸などから遠くのポイントへ仕掛けを投げて魚釣りを行う所謂投げ釣りに使用されるおもりは、基本的に、鉛などで鋳造されたオモリ本体と、前端部（本明細書においては、おもりのキャスティング時に飛行先を向く側を前側と言う）がオモリ本体に固定された金属線材製の吊り手とを備えていて、この吊り手の後端部に形成されている繋ぎ環に道糸や仕掛けなどを連結するようになっている。
吊り手をオモリ本体に固定する構造にも幾つかあるが、吊り手の前端部をオモリ本体に鋳込んだ構造は制作コストが安く済むために多用されている。
【０００３】
そのような構造の従来の魚釣り用おもりの例を図８にａ、ｂ２つ示す。ｃは砲弾形をしたオモリ本体を示し、ｄは吊り手を示す。この吊り手ｄは所謂「天秤型」と称するタイプのもので、１本の金属線材を２つ折りにして２つのアームｅ、ｅ′を作ると共に、その折返し部側の適当な長さの部分を鋳込み部ｆとしてここをオモリ本体ｃに鋳込んであり、各アームｅ、ｅ′の後端部はループ状に加工された繋ぎ環ｇになっている。
【０００４】
鋳込み部ｆは、オモリ本体ｃからの抜けを防止するために、その前端部が非直線形の抜止め部に加工されている。即ち、同図（Ａ）に示す魚釣り用おもりａにあっては、鋳込み部ｆの前端部がほぼ「へ」字形に屈曲した抜止め部ｈに加工されており、同図（Ｂ）に示す魚釣り用おもりｂにあっては、折返し部を環状に残すことで抜止め部ｉを形成すると共に該抜止め部ｉの後ろに金属リングｊを外通しすることで一層の抜止めを図っている。
これらの抜止め部ｈ、ｉは、オモリ本体ｃを鋳造する鋳型のキャビティにおける丁度中央部辺りにインサートされる。従って、抜止め部ｈ、ｉは、オモリ本体ｃの中央部に埋め込まれる。
【０００５】
【発明が解決しようとする課題】
ところが、この種のおもりには、ときとして、キャスティング時にオモリ本体ｃが吊り手ｄから抜けてしまうことがあった。
既知の通り、魚釣り用おもりは随時使い捨てされる消耗品であるから、販売価格は１個数十円から百数十円程度に低く抑えられていて、製造に高いコストを掛けることができないため、オモリ本体ｃの鋳造は、通常、設備費が安く済む重力鋳造法で行われる。
このことだけが原因だとは言えないが、鋳造法で形成されるこの種のオモリ本体ｃには、溶湯に含まれるガスによって「ス」（鬆）ｋができ易く、このスｋは、鋳型のキャビティ内において溶湯の固化が一番遅くなる中央部に多く発生するため、結果的に、抜止め部ｈやｉが当該スｋに収まってしまうことになる。
【０００６】
おもりをキャスティングする時はオモリ本体ｃと吊り手ｄとの間に相対的に反対方向へ向かう１０数Ｋｇ〜数１０Ｋｇ程度の強力な引張り力が加わるため、抜止め部ｈやｉがスｋに収まっていると、キャスティング時の引張り力で抜止め部ｈやｉが次第に抜け易い形に変形して行って、最悪の場合、ついには抜止め部ｈやｉがオモリ本体ｃから相対的に抜けて、オモリ本体ｃだけが思わぬ方向へ飛んでしまうことがある。特に、天秤型の吊り手ｄでは２つ折りした折返し端部に抜止め部ｈやｉを形成せざるを得ないし、上記の引っ張り力は道糸を繋いだ一方のアームｅ（又はｅ′）だけに加わるため、そのアームが他方のアームｅ′（又はｅ）を引きずり出してしまうことがある。
言うまでも無く、投釣りにおいてオモリ本体ｃが抜けて飛んでしまうなどということは、あってはならない事態である。
【０００７】
前記した魚釣りおもりｂにおいては、環状の抜止め部ｉの後ろ金属リングｊを外通しして抜けの抵抗を高めているので、魚釣り用おもりａにおける単に「へ」字形に曲げただけの抜止め部ｈよりは抜け難くなるが、金属リングｊという部品が増えるし、金属リングｊを通してから抜止め部ｉ又は繋ぎ環ｇを加工しなければならないために吊り手ｄの加工に手間とコストが掛かり、それでいて、吊り手ｄがオモリ本体ｃから絶対抜けないという保証は無い。
【０００８】
本発明は従来の魚釣り用おもりが抱えていた上記諸問題に鑑みて為されたものであり、オモリ本体に鋳造時のスが生じても、吊り手の鋳込み部がオモリ本体から抜けるのをほぼ確実に防止することができる新規な魚釣り用おもりを提供することを目的とする。
【０００９】
【課題を解決するための手段】
この目的を達成するために、請求項１に記載した魚釣り用おもりは、鋳造製のオモリ本体と、該オモリ本体の中心線に対して屈曲した方向へ延びる形の抜止め部を有する鋳込み部が当該オモリ本体に鋳込まれ該オモリ本体の外にある端部が繋ぎ環に加工された金属線材製の吊り手とを備えた魚釣り用おもりであって、上記鋳込み部はその抜止め部がオモリ本体の中央部から外れた位置にインサートされた状態で該オモリ本体に鋳込まれたことを特徴とするものである。
【００１０】
従って、この魚釣り用おもりによれば、オモリ本体の中央部にスが生じても、吊り手の抜止め部は必然的にそのスを避けた位置に埋め込まれた状態になるので、吊り手とオモリ本体との間に相対的に抜ける方向への強力な力が働いても、抜止め部がオモリ本体内で変形する虞は殆ど無い。これにより、吊り手の鋳込み部がオモリ本体から抜けるのをほぼ確実に防止することができる。
【００１１】
請求項２に記載した魚釣り用おもりは、請求項１に記載した魚釣り用おもりにおいて、吊り手の鋳込み部はオモリ本体の中心線上に鋳込まれる位置決め部とここから先の抜止め部とを有しており、抜止め部の全体又は大部分が上記位置決め部の延長線から脇へ外れたところに位置することによって該抜止め部がオモリ本体の中央部から外れた位置にインサートされたこと特徴とするものである。
【００１２】
請求項１の発明を実施するに当たって、抜止め部をオモリ本体の中央部から外れた位置にインサートするための具体的な形態としては幾つか考えられるが、吊り手がオモリ本体から出る部位は当該オモリ本体の中心線上にあることを要する関係上、鋳込み部の基端部にはオモリ本体の中心線上に位置するある程度の長さの位置決め部を持たせることが必要であるから、鋳込み部の形態は、基本的には請求項２に記載のように、オモリ本体の中心線上に鋳込まれる位置決め部とここから先の抜止め部とを有しており該抜止め部の全体又は大部分が上記位置決め部の延長線から脇へ外れたところに位置する形態とすれば良い。
【００１３】
この場合、抜止め部がオモリ本体にインサートされる具体的な位置としては、オモリ本体の中央部の脇、又は、オモリ本体の中央部より前側もしくは後側の位置になる。
前者の場合すなわち抜止め部をオモリ本体の中央部の脇にインサートさせる場合において、抜止め部をオモリ本体の中央部から脇へ外す適切な寸法をどの程度にすれば良いかは一概に言えないが、本発明者が行なった抜けのテスト結果によると、オモリ本体の中心線からの距離で見て、概ね、当該オモリ本体における最大半径の４分の１〜３分の１以上の寸法とすれば足りると思われる。
【００１４】
本発明における抜止め部の形状としては、鋳込み部の先端部を単に直角又は斜めに折り曲げた形で足りる場合もあるが、オモリ本体の肉に対する喰い付きを良くしたり、変形し難くするためには、くの字形やＶ字形、Ｗ字形、コの字形、円環形、ジグザク形などある程度複雑な形状にするのが望ましい。
【００１５】
請求項３に記載した魚釣り用おもりは、請求項１又は２に記載した魚釣り用おもりにおいて、オモリ本体の後部には前面が開口し後端に吊り手の横断面とほぼ同じ大きさの吊り手通し孔が設けられたキャップが嵌着されており、吊り手の抜止め部は、上記吊り手通し孔に挿通することができる屈曲形状にしたことを特徴とするものである。
【００１６】
この請求項３に記載のおもりは所謂キャップ付きのタイプであるが、吊り手の抜止め部の形状を、屈曲してはいてもキャップの吊り手通し孔に挿通することが容易な形、例えば、Ｌ字形、Ｖ字形、Ｗ形等のように直線形又は複数の直線部が互いに屈曲して連続した形とか、Ｓ字形やＪ字形のように比較的単純な曲線部を持つ形にすれば、吊り手に必要な形状は予めプレス加工などによって全て完了させておいて、その吊り手をキャップの吊り手通し孔に通した状態で鋳込み部をオモリ本体に鋳込むことが可能になるので、吊り手に必要な加工の一部をオモリ本体が鋳造された後に行うといった面倒な処理を必要としないで済むし、この形の抜止め部を設けた吊り手は、当然、キャップ無しタイプのオモリ本体を備えた魚釣り用おもりの吊り手にも兼用することができる。
【００１７】
請求項４に記載した魚釣り用おもりは、請求項１から３のいずれかに記載した魚釣り用おもりにおいて、吊り手は１本の金属線材を２つ折りして２本のアーム部を形成しており、その２つ折りの折返し部側端部に抜止め部を形成したことを特徴とするものである。
前記したように、１本の金属線材を２つ折りして２本のアームを形成した形の吊り手にあっては、その折返し部がスに収まってしまうとここが伸び易いがためにオモリ本体から抜け易くなるという特有の問題があるので、本発明は、この種の形の吊り手を備えたおもりに特に有効である。
【００１８】
【発明の実施の形態】
以下に、本発明の実施の形態に係る魚釣り用おもりを図面に従って説明する。図面に示した各実施の形態は、本発明を天秤型の投釣り用おもりに適用したものである。
〔１．第一の実施の形態〕（図１〜図３）
図１から図３は、第一の実施の形態に係る投釣り用おもり１を示すものである。この投釣り用おもり１は、キャップ付きのタイプであり、オモリ本体３と、キャップ７と、吊り手１０とで構成されている。
【００１９】
〔Ａ．オモリ本体〕（図１、図２）
オモリ本体３は、例えば鉛や、鉄、真鍮等で鋳造されたもので、前端が球面状を為し後端面が円形をした概ね砲弾形に形成されると共に、その軸方向におけるほぼ中間位置が一番太く、この位置から後側の部分がキャップ嵌着部３ａになっている。このキャップ嵌着部３ａは、これより前側の部分３ｂに較べて多少細くなっており、従って、キャップ嵌着部３ａとこれより前側の部分３ｂとの間には後方を向いた環状の段差面３ｃがある。キャップ嵌着部３ａは、前端側ほぼ３分の１余りの部分においては太さが一定のストレートな形になっていて、その余の部分は後ろ窄まりの円錐台形状をしたテーパー形になっている。
【００２０】
〔Ｂ．キャップ〕（図１〜図３）
キャップ７は、水中でおもりを引く際にオモリ本体３が岩等に当って変形するのを防止したり、斜め立ち姿勢で引かれるようにして根掛かりを防止したりするためのものであって、プラスチックの射出成形により、後ろ窄まりの中空なほぼ円錐形を為すように形成されている。このキャップ７の内部空間７ａは、外形とほぼ相似形をしていて前面が開口しており、その後端部以外の部分は前記キャップ嵌着部３ａが圧入される大きさになっていて、後頂部には内部空間７ａに通じた円形の吊り手通し孔７ｂが形成されている。この吊り手通し孔７ｂの径は、吊り手１０の横断面より僅かに大きい。
【００２１】
このようなキャップ７は、図１に示すように、その前端面がオモリ本体３の段差面３ｃに突き当たるところまで、キャップ嵌着部３ａにきっちり外嵌めされる。この状態で、内部空間７ａはその後端部だけが残され、オモリ本体３の前側部分３ｂとキャップ７の外表面は段差無く連続し、吊り手通し孔７ｂはオモリ本体３の中心線Ｘ−Ｘの延長上に位置する。
【００２２】
〔Ｃ．吊り手〕（図１〜図３）
吊り手１０は、例えばステンレス製の線材を加工したもので、１本の線材を２つ折りすることで互いにほぼ接して平行に延びる２本のアーム１１、１１′を有する形にしてあり、その折返し部を前端として、該前端側の所定の長さＬ（図２参照）の部分をオモリ本体３に鋳込む鋳込み部１２とし、その余の部分を直状に延びる主部１５にしてある。アーム１１、１１′の後端部は環状の繋ぎ環１１ａ、１１′ａになっている。
【００２３】
鋳込み部１２の長さＬはオモリ本体３の軸方向長さのおよそ５分の３になっていて、その後ろ半分は主部１３の延長線Ｘ′−Ｘ′（この線Ｘ′−Ｘ′は、吊り手１０がオモリ本体３に鋳込まれた状態では、オモリ本体３の中心線Ｘ−Ｘと一致する）上を延びる位置決め部１３として残し、前半分は上記延長線Ｘ′−Ｘ′から脇へ外れた抜止め部１４として加工してある。
この抜止め部１４は、延長線Ｘ′−Ｘ′（この線は位置決め部１３の延長線でもある）と平行な姿勢のほぼＷ形に屈曲しており、その４つの直線部１４ａ、１４ｂ、１４ｃ、１４ｄが互いに連続する３つの角部の曲がりはほぼ９０゜になっているが、位置決め部１３と連続する直線部１４ａの前記延長線Ｘ′−Ｘ′に対する開き角はほぼ４０゜になっている。この直線部１４ａの長さを他の３つの直線部１４ｂ、１４ｃ、１４ｄの長さのほぼ２倍にすることで、抜止め部１４が延長線Ｘ′−Ｘ′から脇へ距離Ｔ（図２参照）だけ外れている。この距離Ｔは、オモリ本体３の最大半径のほぼ４分の１になっている。
【００２４】
このような形の吊り手１０は、その鋳込み部１２をオモリ本体３に鋳込む前に、主部１５をキャップ７の吊り手通し孔７ｂに後から通す。この作業は最初に抜止め部１４を吊り手通し孔７ｂに通すことになる。この場合、抜止め部１４はＷ形に屈曲してはいるが、その４つの直線部１４ａ、１４ｂ、１４ｃ、１４ｄが互いに連続する各角部の曲がりはほぼ９０゜になっているので、吊り手通し孔７ｂに挿入する向きを順次変えて行くことで、該吊り手通し孔７ｂに抜止め部１４を容易に通すことができる。
【００２５】
〔Ｄ．オモリ本体への吊り手の鋳込み〕（図３）
図３に、オモリ本体３を鋳造するための鋳型２１を示す。この鋳型２１は、例えば、２つの可動型を横開き式に開閉する構造のもので、そのパーティング面で２つ割されたキャビティ２１ａや、湯口２１ｂ、湯道２１ｃ、吊り手インサート孔２１ｄその他所要の開閉部が設けられており、キャビティ２１ａはオモリ本体３の外形と同じ形に形成されている。吊り手インサート孔２１ｄは吊り手１０の主部１５の横断面と同じ形の横断面を有する形に形成されており、その中心線はキャビティ２１ａの中心線と一致している。
【００２６】
鋳造を行うときは、吊り手１０の鋳込み部１２がキャビティ２１ａに収まり且つ主部１１の下端部が吊り手インサート孔２１ｄに収まるようにセットして型締めする。従って、同図を見て分かるように、吊り手１０の抜止め部１４はキャビティ２１ａの中央部から稍脇へ外れたところに位置する。
この状態からキャビティ２１ａに溶湯を注入することで、オモリ本体３が成形されると共に、そのオモリ本体３に鋳込み部１２が埋め込まれる。
オモリ本体３が冷えた後に、そのキャップ嵌着部３ａにキャップ７を圧入する。
投釣り用おもり１は以上のように構成されている。
【００２７】
〔Ｃ．抜止め効果〕（図１）
しかして、この投釣り用おもり１にあっては、吊り手１０の抜止め部１４がオモリ本体３の中央部から脇に外れた位置に鋳込まれるので、結果としてオモリ本体３の中央部にスＫ（図１参照）が残ったとしても、そのスＫが抜止め部１４に及ぶことは無い。特に、抜止め部１４はオモリ本体３の中心線Ｘ−Ｘとほぼ平行な姿勢のＷ形で鋳込まれるため、仮にスＫの一部が抜止め部１４に及んだとしても、その４つの直線部１４ａ、１４ｂ、１４ｃ、１４ｄの全てがスＫに収まることは先ず有り得ないし、４つの直線部１４ａ、１４ｂ、１４ｃ、１４ｄはオモリ本体の中心線に対して屈曲した方向へ延びる形、即ち、吊り手１０とオモリ本体３との間に生じる相対的な引っ張り力の方向と交差する方向へ延びる形になっているので、その引張りに対して強い抵抗を持つ。
【００２８】
従って、吊り手１０とオモリ本体３との間に相対的に抜ける方向への強力な力が働いても、抜止め部１４がオモリ本体３内で変形する余地は殆ど無いので、鋳込み部１２がオモリ本体３から抜けるのをほぼ確実に防止することができる。
【００２９】
本発明者らは、このように製作した投釣り用おもり１について、引張り試験を実施し、また、中央で縦断してその断面を観察した。引張り試験は、３０号サイズのオモリ本体３と吊り手１０の主部１５とを引張り試験機にクランプしてそれを互いに反対方向へ引っ張り、吊り手１０がオモリ本体３から抜けたときの引張り力を測定するという方法で行った。
【００３０】
これらの観察と試験をそれぞれ１０数個のサンプルについて行った結果、断面観察では、いずれもスＫが抜止め部１４に及んでいたものは殆ど無く、引張り試験では、最低で４７Ｋｇ程度、平均で５２Ｋｇ程度の引張りまで耐えることが分かった。
投釣りにおいて基本的なキャスティングを行う際にオモリ本体３と吊り手１０との間に加わる相対的な引張り力は、通常、１５Ｋｇ前後だと言われており、穂先が折れる寸前の異常なほどに強く竿を振った場合であっても２０Ｋｇが限度だと言われているので、上記試験結果は安全性を充分保証できる。
【００３１】
〔２．第二の実施の形態〕（図４）
図４は、第二の実施の形態に係る投釣り用おもり１Ａを示すものである。この投釣り用おもり１Ａが前記第一の実施の形態に示した投釣り用おもり１と較べて相違するところは、吊り手の抜止め部の形状だけである。従って、説明はこの相違点だけについて行い、その余の部分については、図面の各部に前記投釣り用おもり１における同様の部位に付した符号と同じ符号、又はそれにダッシュ記号やアルファベット記号を付けた符号を付することで説明を省略する。このような符号の使い方とその意味は、後述する第三から第五の実施の形態においても同様とする。
【００３２】
この投釣り用おもり１Ａにおける抜止め部１４′もＷ形に屈曲させてあるが、その全体を吊り手１０の主部１５の延長線Ｘ′−Ｘ′（オモリ本体３の中心線Ｘ−Ｘと一致する）に対してほぼ２０゜傾いた姿勢にすることで該延長線Ｘ′−Ｘ′の脇に位置させてあり、４つの直線部１４ａ′、１４ｂ′、１４ｃ′、１４ｄ′の長さはいずれもほぼ同じにしてある。
【００３３】
〔３．第三の実施の形態〕（図５）
図５は、第三の実施の形態に係る投釣り用おもり１Ｂを示すものである。
この投釣り用おもり１Ｂにおける吊り手１０の鋳込み部１２′は、その長さをオモリ本体３の軸方向長さより多少短い程度の長さにしてあり、その前端部だけを「へ」字形に屈曲した抜止め部２５にしてある。
従って、オモリ本体３の中央部にスＫが生じた場合、鋳込み部１２の位置決め部１３はスＫに収まってしまうが、抜止め部２５はスＫを外れた前端部に確実に埋め込まれる。
抜止め部２５をこのように比較的簡単な形にすると、これを加工するための金型の構造が簡単で済むし、吊り手１０をキャップ７の吊り手通し孔７ｂに通す作業を楽に行うことができる。
【００３４】
〔４．第四の実施の形態〕（図６）
図６は、第四の実施の形態に係る投釣り用おもり１Ｃを示すものである。この投釣り用おもり１Ｃは、前記キャップ７を取り付けないタイプのものである。従って、オモリ本体３′は、表面に段差が無い砲弾形をしている。
【００３５】
この投釣り用おもり１Ｃにあっては、キャップ７を取り付ける必要が無いため、吊り手１０の抜止め部の形状を比較的自由に選ぶことができる。この実施の形態においては、鋳込み部１２′の長さをオモリ本体３の軸方向長さの半分より稍長い程度にし、抜止め部２７を位置決め部１３に対してほぼ４０゜屈曲させると共にその先端部すなわち２つ折り部を円環部２７ａに加工してある。
従って、オモリ本体３′の中央部にスＫが生じた場合、抜止め部２７はそのスＫの脇に位置し、円環部２７ａにも溶湯が入って固まるため、しっかりした抜止めを果す。
【００３６】
〔５．第五の実施の形態〕（図７）
図７は、第五の実施の形態に係る投釣り用おもり１Ｄを示すものである。この投釣り用おもり１Ｄもキャップ７を取り付けないタイプのものである。吊り手１０の鋳込み部１２′の長さはオモリ本体３′の軸方向長さより稍短い程度になっており、位置決め部１３の先にコ字形のフックを為すように屈曲した抜止め部３０を形成してある。この抜止め部３０を為す３つの直線部３０ａ、３０ｂ、３０ｃのうち、位置決め部１３に連続する直線部３０ａは該位置決め部１３に対してほぼ４０゜屈曲し、中間の直線部３０ｂは主部１５の延長線Ｘ′−Ｘ′に近づく方向へ延びており、互いに平行な直線部３０ｃと３０ａとの間隔はオモリ本体３′の軸方向中間部における直径の半分程度になっている。
【００３７】
従って、オモリ本体３′の中央部にスＫが生じた場合、鋳込み部１２の位置決め部１３の半分程度はスＫに収まってしまうが、抜止め部３０はスＫを外れた前端部に確実に埋め込まれる。特に、この抜止め部３０はフック様の形をしているので、抜けに対して強い抵抗を持つ。
【００３８】
以上、本発明の実施の形態を説明したが、本発明の具体的構成がこの実施の形態に限定されるものでは無く、本発明の要旨から外れない範囲での設計変更等があっても本発明に含まれる。
例えば、実施の形態においては、オモリ本体が砲弾形を為し吊り手が２本のアームを備えたタイプのものを示したが、本発明は、オモリ本体が扁平な形のものや、吊り手がアーム１本だけのシングルタイプのものに適用しても同様の効果が得られる。オモリ本体が扁平な形である場合は、抜止め部を当該オモリ本体の中央部から主として幅方向へ外れた位置にインサートすれば良い。
また、本発明は、所謂投釣り用に限らず、各種の魚釣り用のおもりに広く適用することができる。
【００３９】
【発明の効果】
以上のように、本発明によれば、オモリ本体の中央部にスが生じても、吊り手の抜止め部は必然的にそのスを避けた位置に埋め込まれた状態になるので、吊り手とオモリ本体との間に相対的に抜ける方向への強力な力が働いても、抜止め部がオモリ本体内で変形する虞は殆ど無く、これにより、吊り手の鋳込み部がオモリ本体から抜けるのをほぼ確実に防止することができる。
【図面の簡単な説明】
【図１】本発明の第一の実施の形態に係る投釣り用おもりを部分拡大断面図と共に示す全体斜視図である。
【図２】図１に示す投釣り用おもりの分解斜視図である。
【図３】図１に示す投釣り用おもりの製造方法を説明するための図である。
【図４】本発明の第二の実施の形態に係る投釣り用おもりを一部省略して示す縦断面図である。
【図５】本発明の第三の実施の形態に係る投釣り用おもりを一部省略して示す縦断面図である。
【図６】本発明の第四の実施の形態に係る投釣り用おもりを一部省略して示す縦断面図である。
【図７】本発明の第五の実施の形態に係る投釣り用おもりを一部省略して示す縦断面図である。
【図８】従来の投げ釣り用おもりの例を２つ示す縦断面図である。
【符号の説明】
１…魚釣り用おもり　　３…オモリ本体　　７…キャップ
７ｂ…吊り手通し孔　　１０…吊り手　　１１…アーム部　　１１ａ…繋ぎ環
１１′…アーム部　　１１′ａ…繋ぎ環　　１２…鋳込み部
１３…位置決め部　　１４…抜止め部　　Ｘ−Ｘ…オモリ本体の中心線
Ｘ′−Ｘ′…位置決め部の延長線
１Ａ…魚釣り用おもり　　１４´…抜止め部
１Ｂ…魚釣り用おもり　　１２´…鋳込み部　　２５…抜止め部
１Ｃ…魚釣り用おもり　　３´…オモリ本体　　２７…抜止め部
１Ｄ…魚釣り用おもり　　３０…抜止め部
【図１】
2004041050.tif 000003
【図２】
2004041050.tif 000004
【図３】
2004041050.tif 000005
【図４】
2004041050.tif 000006
【図５】
2004041050.tif 000007
【図６】
2004041050.tif 000008
【図７】
2004041050.tif 000009
【図８】
2004041050.tif 000010